(57)【要約】【課題】猪等の野生動物の侵入を確実に防止することができる、動物侵入防止機構を備えたフェンスを提供することにある。【解決手段】支柱２間に固定されたフェンス本体１と動物侵入防止機構５とからなり、動物侵入防止機構５は、フェンス本体１の下部の地面上に敷かれる板状底パネル６と、フェンス本体１の下部と底パネル６との間に下方に湾曲して斜めに取り付けられる板状立ち上げパネル７とから構成される。【選択図】図１
2015055080.tif 000002
【特許請求の範囲】
【請求項１】
支柱間に固定されたフェンス本体と動物侵入防止機構とからなり、前記動物侵入防止機構は、フェンス本体の下部の地面上に敷かれる板状底パネルと、前記フェンス本体の下部と前記底パネルとの間に下方に湾曲して斜めに取り付けられる板状立ち上げパネルとから構成されることを特徴とする、動物侵入防止機構を備えたフェンス。
【請求項２】
前記立ち上げパネルの上下端部間は、連結材により連結されていることを特徴とする、請求項１に記載の、動物侵入防止機構を備えたフェンス。
【請求項３】
請求項１または２に記載の発明において、前記底パネルは、地面にアンカーにより固定されていることを特徴とする、請求項１または２に記載の、動物侵入防止機構を備えたフェンス。
【請求項４】
前記立ち上げパネルは、前記フェンス本体にコイル状の取り付け部材により取り付けられていることを特徴とする、請求項１から３の何れか１つに記載の、動物侵入防止機構を備えたフェンス。
【発明の詳細な説明】
【技術分野】
【０００１】
この発明は、動物侵入防止機構を備えたフェンス、特に、猪等の野生動物の侵入を確実に防止することができる、動物侵入防止機構を備えたフェンスに関するものである。
【背景技術】
【０００２】
近年、宅地の造成等による自然環境の荒廃により、山野に生息する猪等の各種野生動物の餌が減少し、この結果、野生動物の人間の生活圏への侵入による農作物の食害が後を絶たない。
【０００３】
上記問題を解決するための、動物侵入防止機構を備えたフェンスが特許文献１に開示されている。以下、この動物侵入防止機構を備えたフェンスを従来フェンスといい、図面を参照しながら説明する。
【０００４】
図５は、従来フェンスを示す斜視図、図６は、動物侵入防止機構を倒した従来フェンスを示す側面図、図７は、動物侵入防止機構を起こした従来フェンスを示す側面図である。
【０００５】
図５に示すように、従来フェンスは、支柱１２間に固定されたフェンス本体１１とフェンス本体１１の下部に起倒可能に取り付けられた動物侵入防止機構１３とからなっている。
【０００６】
フェンス本体１１は、縦線１４と横線１５とを格子状に溶接した格子金網からなっている。動物侵入防止機構１３は、金網またはエキスパンドメタルからなっている。動物侵入防止機構１３は、金網またはエキスパンドメタルの両端部に形成したフック１６をフェンス本体１１の横線１７に係合させることによって、フェンス本体１１に対して起倒可能に取り付けられている。
【０００７】
このように構成されている従来フェンスによれば、以下のようにして、猪等の野生動物の侵入を防止することができる。
【０００８】
野生動物は、基本的には、跳躍によりフェンスを乗り越えて侵入するが、図６に示すように、動物侵入防止機構１３を倒すと、動物侵入防止機構１３は、傾斜した状態でフェンス本体１１の下部外側に配される。このために、野生動物は、動物侵入防止機構１３上に乗りにくいので、フェンス本体１１の根本で跳躍して、フェンス本体１１を乗り越えることができない。
【０００９】
また、動物侵入防止機構１３を設けることによって、フェンス本体１１の下部と地面との間の隙間からの野生動物の侵入を防止することができる。
【００１０】
さらに、従来フェンスによれば、動物侵入防止機構１３を倒した状態では、動物侵入防止機構１３部分に生えた雑草を刈り取ることが困難であるが、図７に示すように、動物侵入防止機構１３を起こして固定金具１８によりフェンス本体１１に固定すれば、動物侵入防止機構１３部分に生えた雑草の刈り取りが容易に行えるといった効果がもたらされる。
【先行技術文献】
【特許文献】
【００１１】
【特許文献１】特許第４７６１４２０号公報
【発明の概要】
【発明が解決しようとする課題】
【００１２】
上記従来フェンスによれば、フェンス本体１１の下部に、金網またはエキスパンドメタルからなる動物侵入防止機構１３を起倒可能に取り付け、動物侵入防止機構１３を倒すことによって、野生動物の侵入を防止することができ、また、動物侵入防止機構１３を起こすことによっ、動物侵入防止機構１３部分に生えた雑草の刈り取りが容易に行えるが、以下のような問題があった。
【００１３】
（１）動物侵入防止機構１３は、金網またはエキスパンドメタルからなっているので、野生動物は、動物侵入防止機構１３上で滑りにくい。この結果、野生動物が動物侵入防止機構１３上で跳躍して、フェンス本体１１を乗り越えるおそれがあった。
（２）小動物が動物侵入防止機構１３の下部に入り込み、地面を掘ってフェンス内に侵入するおそれがあった。
（３）図５および図６に示すように、動物侵入防止機構１３は、フェンス本体１１側の端部の両側に設けたフック１６をフェンス本体１１の横線１７に係合させることにより、フェンス本体１１に対して起倒可能に取り付けられているので、取り付け強度が低い。この結果、大型の野生動物が動物侵入防止機構１３上に乗ること等によって、動物侵入防止機構１３がフェンス本体１から脱落するおそれがあった。
【００１４】
従って、この発明の目的は、野生動物が地面を掘ってフェンス内に侵入することを回避することができ、しかも、野生動物が動物侵入防止機構上で跳躍して、フェンス本体を乗り越えることを回避することができ、さらに、立ち上げパネルをフェンス本体に強固に取り付けることができる、動物侵入防止機構を備えたフェンスを提供することにある。
【課題を解決するための手段】
【００１５】
この発明は、上記目的を達成するためになされたものであり、下記を特徴とする。
【００１６】
請求項１に記載の発明は、支柱間に固定されたフェンス本体と動物侵入防止機構とからなり、前記動物侵入防止機構は、フェンス本体の下部の地面上に敷かれる板状底パネルと、前記フェンス本体の下部と前記底パネルとの間に下方に湾曲して斜めに取り付けられる板状立ち上げパネルとから構成されることに特徴を有するものである。
【００１７】
請求項２に記載の発明は、請求項１に記載の発明において、前記立ち上げパネルの上下端部間は、連結材により連結されていることに特徴を有するものである。
【００１８】
請求項３に記載の発明は、請求項１または２に記載の発明において、前記底パネルは、地面にアンカーにより固定されていることに特徴を有するものである。
【００１９】
請求項４に記載の発明は、請求項１から３の何れか１つに記載の発明において、前記立ち上げパネルは、前記フェンス本体にコイル状の取り付け部材により取り付けられていることに特徴を有するものである。
【発明の効果】
【００２０】
この発明によれば、フェンス本体の下部の地面上に板状底パネルを敷くことによって、野生動物が地面を掘ってフェンス内に侵入することを回避することができる。
【００２１】
また、この発明によれば、板状底パネルを敷くことによって、フェンス本体の周囲に雑草が生えることを防止することができる。
【００２２】
また、この発明によれば、フェンス本体の下部と底パネルとの間に下方に湾曲して斜めに板状立ち上げパネルを取り付けて、野生動物が立ち上げパネル上で滑り易くすることによって、野生動物が立ち上げパネル上で跳躍して、フェンス本体を乗り越えることを回避することができる。
【００２３】
また、この発明によれば、立ち上げパネルによる目隠し効果によって、動物侵入防止効果がさらに増す。
【００２４】
また、この発明によれば、立ち上げパネルの上下端部間を連結材により連結することによって、立ち上げパネルにかかる風圧によりフェンス本体が受ける影響を軽減することができる。
【００２５】
また、この発明によれば、コイル状の取り付け部材を使用することによって、立ち上げパネルをフェンス本体に強固に取り付けることができる。
【図面の簡単な説明】
【００２６】
【図１】この発明の、動物侵入防止機構を備えたフェンスを示す斜視図である。
【図２】図１の部分拡大図である。
【図３】この発明の、動物侵入防止機構を備えたフェンスを示す側面図である。
【図４】この発明の、別の動物侵入防止機構を備えたフェンスを示す斜視図である。
【図５】従来フェンスを示す斜視図ある。
【図６】動物侵入防止機構を倒した従来フェンスを示す側面図である。
【図７】動物侵入防止機構を起こした従来フェンスを示す側面図である。
【発明を実施するための形態】
【００２７】
この発明の、動物侵入防止機構を備えたフェンスの一実施態様を、図面を参照しながら説明する。
【００２８】
図１は、この発明の、動物侵入防止機構を備えたフェンスを示す斜視図である。
【００２９】
図１において、１は、支柱２間に固定されたフェンス本体であり、例えば、縦線３と横線４とを格子状に溶接したものからなる格子金網からなっている。
【００３０】
５は、動物侵入防止機構である。動物侵入防止機構５は、フェンス本体１の下部の地面上に敷かれる板状底パネル６と、フェンス本体１の下部と底パネル６との間に下方に湾曲して斜めに取り付けられた板状立ち上げパネル７とから構成されている。
【００３１】
底パネル６は、地面にアンカー８により固定されているので、野生動物が地面を掘ってフェンス内に侵入することを回避することができる。板状立ち上げパネル７は、フェンス本体１の下部と底パネル６との間に下方に湾曲して斜めに取り付けられているので、野生動物が立ち上げパネル７上で滑り易くすることによって、野生動物が立ち上げパネル７上で跳躍して、フェンス本体１を乗り越えることを回避することができる。また、立ち上げパネル７による目隠し効果によって、猪等の動物侵入防止効果がさらに増す。
【００３２】
図４に示すように、立ち上げパネル７の上下端部間を連結材９より連結することによって、立ち上げパネル７にかかる風圧によりフェンス本体が受ける影響を軽減することができる。
【００３３】
図２に示すように、立ち上げパネル７をフェンス本体１にコイル状の取り付け部材１０を使用して取り付けることによって、立ち上げパネル７を容易かつ強固にフェンス本体１に取り付けることができる。立ち上げパネル７の下端は、底パネル６に対して、線材で縫い付ける等して固定されている。
【００３４】
以上、説明したように、この発明によれば、フェンス本体１の下部の地面上に板状底パネル６を敷くことによって、野生動物が地面を掘ってフェンス内に侵入することを回避することができる。
【００３５】
また、この発明によれば、フェンス本体１の下部と底パネル６との間に下方に湾曲して斜めに板状立ち上げパネル７を取り付けて、野生動物が立ち上げパネル７上で滑り易くすることによって、野生動物が立ち上げパネル７上で跳躍して、フェンス本体１を乗り越えることを回避することができる。
【００３６】
また、この発明によれば、立ち上げパネル７による目隠し効果によって、動物侵入防止効果がさらに増す。
【００３７】
また、この発明によれば、立ち上げパネル７の上下端部間を連結材９により連結することによって、立ち上げパネル７にかかる風圧によりフェンス本体１が受ける影響を軽減することができる。
【００３８】
また、この発明によれば、コイル状の取り付け部材１０を使用することによって、立ち上げパネル７をフェンス本体１に強固に取り付けることができる。
【符号の説明】
【００３９】
１：フェンス本体
２：支柱
３：縦線
４：横線
５：動物侵入防止機構
６：底パネル
７：立ち上げパネル
８：アンカー
９：連結材
１０：取り付け部材
１１：支柱
１２：フェンス本体
１３：動物侵入防止機構
１４：縦線
１５：横線
１６：フック
１７：横線
１８：固定金具
【図１】
2015055080.tif 000003
【図２】
2015055080.tif 000004
【図３】
2015055080.tif 000005
【図４】
2015055080.tif 000006
【図５】
2015055080.tif 000007
【図６】
2015055080.tif 000008
【図７】
2015055080.tif 000009